(57)【要約】【課題】      扇型タイプのヘアーブラシであっても、ブラシピンが折曲すること無く、かつ円滑に除去作業を行なうことができるヘアーブラシを提供する。【解決手段】  ブラシ本体１０と、このブラシ本体１０に装着されたブラシカバー２０と、このブラシカバー２０の外側に重ねて設けられたストッパ用カバー３０とで構成されている。ブラシ本体１０は回転軸１６が回転自在に設けられている。回転軸１６には略その全長に亘って多数のブラシピン１７が形成されている。ブラシピン１７の先端にはストッパ部１８が形成されている。ブラシカバー２０は多数のピン孔２１が穿設されている。ストッパ用カバー３０はピン孔１７に対応してピン孔３１が穿設されている。ブラシピン１７がピン孔２１及びピン孔３１に挿通している。【選択図】        図１
2007021167.tif 000002
【特許請求の範囲】
【請求項１】
ブラシ本体と、該ブラシ本体に装着されるブラシカバーとから成り、前記ブラシ本体に回転自在に設けられた複数の回転軸と、該回転軸に設けられた多数のブラシピンと、前記ブラシカバーに設けられブラシピンを進退自在に挿通させる多数のピン孔とを具備し、該ピン孔にブラシピンを挿通させてブラシカバーをブラシ本体に装着することを特徴とするヘアーブラシ。
【請求項２】
前記ブラシカバーがブラシピンから離脱するのを防止する離脱防止手段を具備することを特徴とする請求項１記載のヘアーブラシ。
【請求項３】
前記離脱防止手段が、前記ブラシピンの先端近傍に設けられブラシカバーを係止するストッパ部からなることを特徴とする請求項２記載のヘアーブラシ。
【請求項４】
前記離脱防止手段が、前記ブラシカバーの外側に設けられた柔軟なストッパ用カバーと、該ストッパ用カバーに設けられブラシピンを進退自在に挿通させる多数のピン孔と、前記ブラシピンの先端近傍に設けられストッパ用カバーを係止するストッパ部とからなることを特徴とする請求項２記載のヘアーブラシ。
【請求項５】
前記離脱防止手段が、前記ブラシカバーとブラシ本体とを連結する連結部材と、前記ブラシ本体に形成され連結部材が摺動する摺動穴とからなることを特徴とする請求項２記載のヘアーブラシ。
【請求項６】
ブラシカバーをブラシ本体に固定する固定手段を具備することを特徴とする請求項１、２、３、４又は５記載のヘアーブラシ。
【請求項７】
前記固定手段が、ブラシカバーに設けられた突起と、該突起が嵌合するブラシ本体に設けられた嵌合穴とからなることを特徴とする請求項６記載のヘアーブラシ。
【請求項８】
前記固定手段が、ブラシカバーとブラシ本体とに設けられた磁石からなることを特徴とする請求項６記載のヘアーブラシ。
【発明の詳細な説明】
【技術分野】
【０００１】
本発明は、ブラシピンに絡みついた毛髪を容易に除去することが出来るヘアーブラシに関し、さらに詳しくは、ブラシピンを扇形に植立したヘアーブラシに関するものである。
【背景技術】
【０００２】
ヘアーブラシは毛髪を整え又は手入れするために毎日使用されており、その毎日の使用により、抜け毛がブラシピンに絡みつき堆積していくものである。この堆積した抜け毛にはふけや埃が付着し、不衛生なものであるとともに、毛髪を汚すものである。したがって、ヘアーブラシを使用する毎に、ブラシピンに絡まった抜け毛を除去することが好ましい。
【０００３】
従来、このような抜け毛を除去する手段が各種提案されており、例えば、ブラシピンのそれぞれに挿通可能な貫通孔を有する毛髪除去板を挿通させたヘアーブラシが提案されている（特許文献１参照）。また、ブラシ毛の１個づつ又は適当な複数個づつと略対応合致する大きさのブラシ毛逃し入れ口が開口分布された剛性な床カバーを設けた清掃容易なヘアーブラシが提案されている（特許文献２参照）。さらに、多数の長孔を設けたケーシングと、前記長孔から出退自在となるように前記長孔にそれぞれ挿通された多数のブラシピンと、前記ケーシングの他方の面へ挿通されたケーシングから出退自在な操作部材と、前記各ブラシピンと操作部材とを繋ぐケーシングの厚み方向へ湾曲自在なインナープレートとを具備したブラシが提案されている（特許文献３参照）。
【０００４】
【特許文献１】特開平１０−１７９２５７号公報
【特許文献２】特開２００４−１０５２４１号公報
【特許文献３】特開２００３−２１０２５１号公報
【発明の開示】
【発明が解決しようとする課題】
【０００５】
ところで、ヘアーブラシには、ブラシピンの態様により、平型と扇型との２つのタイプがある。すなわち、平型タイプはブラシピンが略平行に植立されている態様で、扇型タイプはブラシピンが扇状に植立されている態様である。
【０００６】
しかしながら、上述した特許文献１で提案されたヘアーブラシは、扇型タイプのヘアーブラシにおいては使用できないものであった。すなわち、毛髪除去板をブラシピンの先端近傍に位置させる際、毛髪除去板がブラシピンを強制的に屈曲させつつ移動することになるので、除去作業を円滑に行なうことができず、また、ブラシピンが度重なる屈曲により折曲する恐れがある。また、特許文献２で提案されたヘアーブラシも、特許文献１で提案されたブラシと同様に、床カバーをブラシピンの先端近傍に位置させる際、床カバーがブラシピンを強制的に屈曲させつつ移動するので、扇型タイプのヘアーブラシに使用することが出来ないものであった。
【０００７】
また、特許文献３で提案されたヘアーブラシは、扇型タイプのヘアーブラシであってもブラシピンを屈曲させることはないが、インナープレートを湾曲させるための空間が必要であり、ヘアーブラシの全体形状が大きくなるものであった。さらに、湾曲を繰り返すとインナープレートが破損する恐れがあった。
【０００８】
本発明は、以上の問題点を解決し、扇型タイプのヘアーブラシであっても、ブラシピンが折曲すること無く、かつ円滑に除去作業を行なうことができるヘアーブラシを提供することを目的とする。
【課題を解決するための手段】
【０００９】
請求項１に係る発明は、ブラシ本体と、該ブラシ本体に装着されるブラシカバーとから成り、前記ブラシ本体に回転自在に設けられた複数の回転軸と、該回転軸に設けられた多数のブラシピンと、前記ブラシカバーに設けられブラシピンを進退自在に挿通させる多数のピン孔とを具備し、該ピン孔にブラシピンを挿通させてブラシカバーをブラシ本体に装着することを特徴とするヘアーブラシである。
【００１０】
請求項２に係る発明は、請求項１記載のヘアーブラシにおいて、前記ブラシカバーがブラシピンから離脱するのを防止する離脱防止手段を具備することを特徴とする。
【００１１】
請求項３に係る発明は、請求項２記載のヘアーブラシにおいて、前記離脱防止手段が、前記ブラシピンの先端近傍に設けられブラシカバーを係止するストッパ部からなることを特徴とする。
【００１２】
請求項４に係る発明は、請求項２記載のヘアーブラシにおいて、前記離脱防止手段が、前記ブラシカバーの外側に設けられた柔軟なストッパ用カバーと、該ストッパ用カバーに設けられブラシピンを進退自在に挿通させる多数のピン孔と、前記ブラシピンの先端近傍に設けられストッパ用カバーを係止するストッパ部とからなることを特徴とする。
【００１３】
請求項５に係る発明は、請求項２記載のヘアーブラシにおいて、前記離脱防止手段が、前記ブラシカバーとブラシ本体とを連結する連結部材と、前記ブラシ本体に形成され転結部材が摺動する摺動穴とからなることを特徴とする。
【００１４】
請求項６に係る発明は、請求項１、２、３、４又は５記載のヘアーブラシにおいて、ブラシカバーをブラシ本体に固定する固定手段を具備することを特徴とする。
【００１５】
請求項７に係る発明は、請求項６記載のヘアーブラシにおいて、前記固定手段が、ブラシカバーに設けられた突起と、該突起が嵌合するブラシ本体に設けられた嵌合穴とからなることを特徴とする。
【００１６】
請求項８に係る発明は、請求項６記載のヘアーブラシにおいて、前記固定手段が、ブラシカバーとブラシ本体とに設けられた磁石からなることを特徴とする。
【発明の効果】
【００１７】
請求項１に係る発明は、ブラシカバーを引き上げた際、ピン孔がブラシピンを内側方向へ押圧するが、回転軸はブラシ本体に回転自在に設けられているので、ピン孔のブラシピンの押圧により回転軸が内側へ回転する。したがって、この回転軸の回転に伴ってブラシピンも内側に回転するので、ブラシピンに大きな負荷を与えること無くブラシカバーを極めて円滑に引き上げることができる。したがって、ブラシピンが折曲したりすることが無く、ブラシピンに絡まった毛髪を容易に除去することができる。
【００１８】
請求項２に係る発明は、離脱防止手段を設けているので、ブラシカバーがブラシピンから離脱するのを防止することができる。したがって、抜け毛の除去作業において、ブラシカバーの引き上げ作業を慎重にすることなく行うことができる。請求項３に係る発明は、ブラシピンのストッパ部がブラシカバーを係止するので、ブラシカバーがブラシピンから離脱するのを防止することができる。請求項４に係る発明は、ブラシピンのストッパ部がストッパ用カバーを係止するので、ストッパ用カバーがブラシピンから離脱するのを防止することができ、その結果、ストッパ用カバーの内側に設けられているブラシカバーがブラシピンから離脱するのを防止することができる。請求項５に係る発明は、連結部材がブラシカバーとブラシ本体とを連結しているので、ブラシカバーがブラシピンから離脱するのを防止することができる。
【００１９】
請求項６に係る発明は、固定手段によりブラシカバーをブラシ本体に固定することができる。したがって、分離することなく一体となっているので、従来のヘアーブラシと変わらない使用感を得ることができる。請求項７に係る発明は、突起と嵌合穴を嵌合させることにより、ブラシカバーをブラシ本体に固定することができる。請求項８に係る発明は、ブラシカバーとブラシ本体とに設けられた磁石を吸着させることにより、ブラシカバーをブラシ本体に固定することができる。
【発明を実施するための最良の形態】
【００２０】
本発明のヘアーブラシにおいて、ブラシ本体の形態は特に限定されず、通常のヘアーブラシであっても、ヘアードライヤーに一体化して設けられるヘアーブラシであってもよい。ブラシ本体を形成する材料は特に限定されないが、加工し易い剛性のある材料で形成することが好ましく、例えば、ポリエチレン樹脂、ポリスチレン樹脂等を用いることができる。
【００２１】
ブラシ本体には複数の回転軸が回転自在に設けられている。回転軸は、ブラシ本体の長手方向に対して直角方向に回転自在となっており、この回転によりブラシピンを揺動させるものである。回転軸のブラシピンが設けられている部位の形状は、円形であっても、矩形であってもよいが、矩形にすると、ブラシカバーと接触面が広くなりブラシカバーを固定し易くなる。また、複数の回転軸の配置は、平坦であっても、上に凸に湾曲した態様であってもよい。
【００２２】
回転軸には多数のブラシピンが設けられており、このブラシピンは髪を整髪するためのものである。ブラシピンの形状は、円錐状、円柱状、角錐状、角柱状等を採用することができるが、先端に行くにしたがって径が小さくなる円錐状又は角錐状に形成することが好ましい。
【００２３】
前記回転軸及びブラシピンを形成する材料は、特に限定されないが、屈曲し難い材料で形成することが好ましく、例えば、ポリエチレン樹脂、ポリスチレン樹脂等を用いることができる。また、ブラシピンと回転軸とを一体に形成しても、別体に形成した後一体に固着してもよい。
【００２４】
ブラシピンが進退自在に挿通した状態でブラシカバーが設けられている。このブラシカバーは、ブラシピンに沿ってを上方へ引き上げることにより、ブラシピンに絡みついた抜毛をブラシ本体から浮かせて除去し易いようにするものである。ブラシピンが挿通するピン孔は、ブラシピンより大きいことを要するが、ブラシピンの下端においては略同一とすることができ、略同一とすることにより、ブラシカバーをブラシピンに固定することができる。ブラシカバーの厚みは、ブラシピンに沿って摺動させる点からは薄いほうが好ましいので、使用に耐え得るだけの強度を有する限り薄く形成することが好ましい。また、ブラシカバーの周縁に鋸刃状等の滑り止を形成することができ、このような滑り止を形成することにより、ブラシカバーを引上げる際、指が滑ることなく確実にブラシカバーを引上げることができる。
【００２５】
前記ブラシカバーがブラシピンから離脱するのを防止する離脱防止手段を設けることが好ましい。離脱防止手段は、ブラシピンの先端近傍にブラシカバーを係止させるストッパ部で構成することができる。このストッパ部は、頭皮への接触が優しいので球形に形成することが好ましい。また、ブラシカバーの外側に柔軟な材料で形成されたストッパ用カバーと、該ストッパ用カバーに設けられブラシピンを進退自在に挿通させる多数のピン孔と、前記ブラシピンの先端近傍に設けられストッパ用カバーを係止させるストッパ部とで構成することができる。ストッパ用カバーは柔軟な材料で形成するが、髪にテンションをかけ易いのでゴムで形成することが好ましい。また、ゴムで形成することにより、静電気の発生を抑制することができる。さらに、ブラシカバーとブラシ本体とを連結する連結部材と、ブラシ本体に形成され連結部材が摺動する摺動穴とで構成しても、ブラシカバーとブラシ本体とを連結する紐材で構成してもよい。連結部材はブラシカバーの２ケ所に設けても４ケ所に設けてもよい。連結部材と摺動穴とで構成する場合は、連結部材が摺動穴をガイドとして上下方向に進退するので、ブラシカバーを横方向にぶれることなく確実に引上げることができる。
【００２６】
ブラシカバーをブラシ本体に固定する固定手段を設けることが好ましく、この固定手段は、ブラシカバーに設けられた突起と、該突起が嵌合するブラシ本体に設けられた嵌合穴とで構成したり、ブラシカバーとブラシ本体とに設けられた磁石で構成したり、これらを組み合わせて構成することもできる。これらの突起と嵌合穴及び磁石は、ブラシカバーの２ケ所に設けても４ケ所に設けてもよい。さらに、前記離脱手段としての連結部材の下部に磁石を設けるとともに、摺動穴の底面にも磁石を設けてもよく、このようにすることにより、離脱防止手段と固定手段とを兼用させることができる。また、連結部材の下部に凸部を設けるとともに、摺動穴の底面に凹部を設け、これらを嵌合させることにより固定できるよにしてもよい。
【００２７】
本発明によるヘアーブラシの第一実施形態を図面を参照して説明する。
【００２８】
図１はヘアーブラシの斜視図、図２はヘアーブラシの側面図、図３はヘアーブラシの先端側側面図、図４は図３中Ａ―Ａ線断面図、図５はブラシピン及び回転軸の側面図、図６はブラシカバーの平面図、図７はブラシカバーの側面図、図８はブラシカバーの先端側側面図、図９はゴム部材の平面図、図１０はゴム部材の側面図、図１１はストッパ用カバーの平面図、図１２はストッパ用カバーの先端側側面図、図１３はブラシピンを削除したヘアーブラシの分解した状態の先端側側面図、図１４は毛髪が絡まった状態のヘアーブラシの先端側側面図、図１５はブラシカバーを途中まで引き上げた状態のヘアーブラシの先端側側面図、図１６は毛髪を除去した状態のヘアーブラシの先端側側面図である。
【００２９】
図１〜図２において、ヘアーブラシは、ブラシ本体１０と、このブラシ本体１０に装着されたブラシカバー２０と、このブラシカバー２０の外側に重ねて設けられたストッパ用カバー３０とで構成されている。ブラシ本体１０は、ハンドル部１１と上面が湾曲したブラシ部１２とが形成されており、このブラシ部１２の長手方向には、図４に示すように、凹部１３が形成されている。この凹部１３の長手方向の両端面には、図３〜図４に示すように、複数の回転軸穴１４が形成されるとともに、回転軸穴１４に隣接して固定手段としての嵌合穴１５が形成されている。
【００３０】
回転軸穴１４には回転軸１６が回転自在に設けられており、図５に示すように、この回転軸１６には略その全長に亘って断面円錐状をした多数のブラシピン１７が形成されている。このブラシピン１７の先端には略球形状のストッパ部１８が形成されており、このストッパ部１８の径はブラシピン１７の下端の径と略同一となっている。
【００３１】
ブラシカバー２０は、図６〜図８に示すように、下面が前記ブラシ部１２の上面と略同一の曲率で湾曲して形成されており、その略全面に多数のピン孔２１が穿設されている。このピン孔２１は、前記ブラシピン１７に対応して形成されるとともに、その径がブラシピン１７の下端における径と略同一又は大きくなっている。したがって、ピン孔２１はブラシピン１７に被嵌した状態で進退自在となっており、また、ストッパ部１８も挿通可能になっているので、ヘアブラシを製作する際、ブラシカバー２０をブラシピン１７に容易に装着できるものである。また、ブラシカバー２０の長手方向の両端部下面には、固定手段としての突起２２が形成されるとともに、この突起２２には、図９〜図１０に示すような円筒状のゴム部材２３が被嵌されている。
【００３２】
ストッパ用カバー３０は、図１１〜図１２に示すように、ゴムによりブラシカバー２０と略同一形状に形成されており、図１３に示すように、ブラシカバー２０と密着した状態で重ねられるようになっている。また、その全面においてピン孔２１に対応してピン孔３１が穿設されており、このピン孔３１は、ストッパ部１８の径より若干小さい径に形成されており、ストッパ用カバー３０がブラシピン１７から離脱しないようになっている。なお、ストッパ用カバー３０は、ゴムで形成されているので、ピン孔３１を変形させることにより、ブラシピン１７を容易に挿入することができる。
【００３３】
上述したようなヘアーブラシにおいて絡まった毛髪ａを除去するには、図１４〜図１６に示すように、ブラシカバー２０とストッパ用カバー３０とを上方へ引き上げる。すると、ブラシピン１７は、ブラシカバー２０のピン孔２１により内側方向に押圧されるが、この時、回転軸１６が内側へ回転するので、それに伴いブラシピン１７は内側へ回転する。したがって、ブラシカバー２０はブラシピン１７の抵抗を受けることなく上方へ移動することができ、ブラシピン１７に絡まった毛髪ａも引き上げられる。こうしてブラシカバー２０の引き上げを続けると、ストッパ用カバー３０がストッパ部１８に当接し、ピン孔３１はストッパ部１８より小さいので、係止されることとなる。この状態で毛髪を容易に除去することができる。毛髪ａの除去作業が終わると、ブラシカバー２０及びストッパ用カバー３０を引き下げ、初期の状態とする。この時、突起２２が嵌合穴１５に嵌合するので、ブラシカバー２０はブラシ本体１０に固定される。
【００３４】
本発明によるヘアーブラシの第二実施形態を図面を参照して説明する。
【００３５】
図１７はヘアブラシの側面図、図１８はブラシカバーを引き上げた状態のヘアブラシの側面図である。
【００３６】
図１７〜図１８に示す第二実施形態は、ストッパ用カバーを用い無い他は、第一実施形態と同様に構成されている。すなわち、ブラシ本体１０にブラシカバー２０が装着されており、ブラシ本体１０には回転軸１６が回転自在に設けられ、この回転軸１６には多数のブラシピン１７が設けられている。そして、このピン軸１７がブラシカバー２０に形成されたピン孔２１に挿通し、ブラシピン１７の先端に形成したストッパ部１８がブラシカバー２０を係止している。したがって、ストッパ部１８の径はピン孔２１の径より大きく形成されており、この点において第一実施形態と異なっている。その他の構成は、第一実施形態と同一であり、同一の符号を付している。第二実施形態においては、第一実施形態に比べ製造が簡単でないが、ストッパ用カバーが不要であるので安価に製造することができる。
【００３７】
本発明によるヘアーブラシの第三実施形態を図面を参照して説明する。
【００３８】
図１９はブラシピン部分を削除したヘアブラシの分解側面図、図２０はブラシピン部分を削除したヘアブラシの分解先端側側面図、図２１は磁石の平面図、図２２は磁石の側面図である。
【００３９】
図１９〜図２０に示す第三実施形態は、固定手段として突起と嵌合穴の替わりに磁石を用いた他は、第一実施形態と同様である。すなわち、ブラシカバー２０の長手方向の両端下面に、図２１〜図２２に示すような磁石２４を設けるとともに、ブラシ本体１０に同一の磁石１９を埋設し、これらの磁石２４と１９との吸着によりブラシカバー２０をブラシ本体１０に固定するものである。その他の構成は、第一実施形態と同一であり、同一の符号を付している。
【００４０】
本発明によるヘアーブラシの第四実施形態を図面を参照して説明する。
【００４１】
図２３はヘアーブラシの側面図、図２４はヘアーブラシの先端側側面図、図２５はブラシカバーの側面図、図２６はブラシカバーとブラシ本体を連結する連結部材の側面図、図２７は図２４中Ｂ―Ｂ線断面図、図２８はヘアーブラシの毛髪を除去する状態の断面図である。
【００４２】
図２３〜図２８に示す第四実施形態は、離脱手段としてストッパ部の替わりに連結部材を用いた他は、第二実施形態と同様である。すなわち、ブラシカバー２０の長手側の両端部において下方に突出した連結部材２５を固定するとともに、ブラシ本体１０の対応する個所に摺動穴４１を形成し、この摺動穴４１内を連結部材２５が進退自在となるようにしたものである。また、図２６に示すように、連結部材２５にはストッパ２６が側方に突出形成されるとともに、摺動穴４１には縦方向に長溝４２が形成されており、ストッパ２６が長溝４２内を進退し、上端において長溝４２に係止するようになっている。また、ブラシピン１７にはストッパ部が形成されておらず、先端に行くにしたがって径が小さくなる円錐状に形成されている。その他の構成は、第二実施形態と同一であり、同一の符号を付している。また、ブラシカバー２０の上面に、ストッパ用カバーと同様な形状のゴムカバーを設けてもよく、このゴムカバーにより、髪にテンションを掛けることができるとともに、静電気の発生を防止することができる。
【００４３】
本発明によるヘアーブラシの第五実施形態を図面を参照して説明する。
【００４４】
図２９はヘアーブラシの側面図、図３０はヘア-ブラシの平面図、図３１はブラシカバーを引き上げた状態のヘアーブラシの側面図である。
【００４５】
図２９〜図３１に示す第五実施形態は、ヘアードライヤーに一体化して設けるもので、第一の実施形態と同様に、ブラシ本体１０に回転軸１６及びブラシピン１７が設けられ、このブラシピン１７はブラシカバー２０及びゴムで形成されたカバー３５が設けられており、また、第四実施形態と同様に、ブラシカバー２０には連結部材２５、ストッパ２６が設けられるとともに、ブラシ本体１０には摺動穴４１、長溝４２が形成されている。そして、ブラシカバー２０及びストッパ用カバー３０には、温冷風を吹き付けるための風孔５０が複数形成されている。
【図面の簡単な説明】
【００４６】
【図１】本発明によるヘアーブラシの第一実施形態の斜視図
【図２】本発明によるヘアーブラシの第一実施形態の側面図
【図３】本発明によるヘアーブラシの第一実施形態の先端側側面図
【図４】図３中Ａ―Ａ線断面図
【図５】本発明によるヘアーブラシの第一実施形態におけるブラシピン及び回転軸の側面図
【図６】本発明によるヘアーブラシの第一実施形態におけるブラシカバーの平面図
【図７】本発明によるヘアーブラシの第一実施形態におけるブラシカバーの側面図
【図８】本発明によるヘアーブラシの第一実施形態におけるブラシカバーの先端側側面図
【図９】本発明によるヘアーブラシの第一実施形態におけるゴム部材の平面図
【図１０】本発明によるヘアーブラシの第一実施形態におけるゴム部材の側面図
【図１１】本発明によるヘアーブラシの第一実施形態におけるストッパ用カバーの平面図
【図１２】本発明によるヘアーブラシの第一実施形態におけるストッパ用カバーの先端側側面図
【図１３】本発明によるヘアーブラシの第一実施形態におけるブラシピンを削除した状態の分解先端側側面図
【図１４】本発明によるヘアーブラシの第一実施形態における毛髪が絡まった状態の先端側側面図
【図１５】本発明によるヘアーブラシの第一実施形態におけるブラシカバーを途中まで引き上げた状態の先端側側面図
【図１６】本発明によるヘアーブラシの第一実施形態における毛髪を除去した状態の先端側側面図
【図１７】本発明によるヘアーブラシの第二実施形態の側面図
【図１８】本発明によるヘアーブラシの第二実施形態におけるブラシカバーを引き上げた状態の側面図
【図１９】本発明によるヘアーブラシの第三実施形態におけるブラシピン部分を削除した状態の分解側面図
【図２０】本発明によるヘアーブラシの第三実施形態におけるブラシピン部分を削除した状態の分解先端側側面図
【図２１】本発明によるヘアーブラシの第三実施形態における磁石の平面図
【図２２】本発明によるヘアーブラシの第三実施形態における磁石の側面図
【図２３】本発明によるヘアーブラシの第四実施形態の側面図
【図２４】本発明によるヘアーブラシの第四実施形態の先端側側面図
【図２５】本発明によるブラシカバーの第四実施形態の側面図
【図２６】本発明によるヘアーブラシの第四実施形態におけるブラシカバーとブラシ本体を連結する連結部材の側面図
【図２７】図２４中Ｂ―Ｂ線断面図
【図２８】本発明によるヘアーブラシの第四実施形態におけるヘアーブラシの毛髪を除去する状態の断面図
【図２９】本発明によるヘアーブラシの第五実施形態の側面図
【図３０】本発明によるヘアーブラシの第五実施形態の平面図
【図３１】本発明によるヘアーブラシの第五実施形態におけるブラシカバーを引き上げた状態の側面図
【符号の説明】
【００４７】
１０  ブラシ本体
１４  回転軸穴
１５  嵌合穴
１６  回転軸
１７  ブラシピン
１８  ストッパ部
２０  ブラシカバー
２１  ピン孔
２２  突起
２４  磁石
３０  ストッパ用カバー
３１  ピン孔
【図１】
2007021167.tif 000003
【図２】
2007021167.tif 000004
【図３】
2007021167.tif 000005
【図４】
2007021167.tif 000006
【図５】
2007021167.tif 000007
【図６】
2007021167.tif 000008
【図７】
2007021167.tif 000009
【図８】
2007021167.tif 000010
【図９】
2007021167.tif 000011
【図１０】
2007021167.tif 000012
【図１１】
2007021167.tif 000013
【図１２】
2007021167.tif 000014
【図１３】
2007021167.tif 000015
【図１４】
2007021167.tif 000016
【図１５】
2007021167.tif 000017
【図１６】
2007021167.tif 000018
【図１７】
2007021167.tif 000019
【図１８】
2007021167.tif 000020
【図１９】
2007021167.tif 000021
【図２０】
2007021167.tif 000022
【図２１】
2007021167.tif 000023
【図２２】
2007021167.tif 000024
【図２３】
2007021167.tif 000025
【図２４】
2007021167.tif 000026
【図２５】
2007021167.tif 000027
【図２６】
2007021167.tif 000028
【図２７】
2007021167.tif 000029
【図２８】
2007021167.tif 000030
【図２９】
2007021167.tif 000031
【図３０】
2007021167.tif 000032
【図３１】
2007021167.tif 000033